【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
複数の第１のバヨネット爪部と複数の第１の端子部とを有するカメラマウントに対して着脱可能なレンズマウントであって、
前記複数の第１のバヨネット爪部と係合可能な複数の第２のバヨネット爪部と、
前記カメラマウントに前記レンズマウントが装着された際に前記複数の第１の端子部と接触する複数の第２の端子部とを有し、
前記複数の第２の端子部は、前記複数の第２のバヨネット爪部とは異なる位置に設けられており、前記カメラマウントと前記レンズマウントとの間の通信に用いられる複数の通信用端子部を含み、
前記複数の通信用端子部の個数は６であり、
前記レンズマウントの中心軸の方向視において、該中心軸から伸びるとともに前記複数の通信用端子部を通る複数の半直線の全ては、前記複数の第２のバヨネット爪部のうち所定の爪部を通ることを特徴とするレンズマウント。
【請求項２】
前記複数の第２の端子部の個数は１２であることを特徴とする請求項１に記載のレンズマウント。
【請求項３】
複数の第１のバヨネット爪部と複数の第１の端子部とを有するカメラマウントに対して着脱可能なレンズマウントであって、
前記複数の第１のバヨネット爪部と係合可能な複数の第２のバヨネット爪部と、
前記カメラマウントに前記レンズマウントが装着された際に前記複数の第１の端子部と接触する複数の第２の端子部とを有し、
前記複数の第２の端子部は、前記複数の第２のバヨネット爪部とは異なる位置に設けられており、前記カメラマウントと前記レンズマウントとの間の通信に用いられる複数の通信用端子部を含み、
前記複数の第２の端子部の個数は１２であり、
前記レンズマウントの中心軸の方向視において、該中心軸から伸びるとともに前記複数の通信用端子部を通る複数の半直線の全ては、前記複数の第２のバヨネット爪部のうち所定の爪部を通ることを特徴とするレンズマウント。
【請求項４】
前記複数の第２の端子部は、前記レンズマウントが前記カメラマウントに対して装着されているかどうかの判定に用いられる端子部を含み、
前記中心軸の方向視において、前記中心軸から伸びるとともに前記判定に用いられる端子部を通る半直線は、前記所定の爪部を通ることを特徴とする請求項１乃至３のいずれか一項に記載のレンズマウント。
【請求項５】
前記複数の第２の端子部を保持する端子保持部を有し、該端子保持部と前記レンズマウントのうち一方は凸部を備え、他方は該凸部と係合する穴部を備えることを特徴とする請求項１乃至４のいずれか一項に記載のレンズマウント。
【請求項６】
前記中心軸の方向視において、前記中心軸から伸びるとともに前記凸部を通る半直線は、前記所定の爪部を通ることを特徴とする請求項５に記載のレンズマウント。
【請求項７】
前記複数の第２の端子部は、前記レンズマウントが前記カメラマウントに対して装着されているかどうかの判定に用いられる端子部を含み、
前記複数の第２の端子部のうち、前記判定に用いられる端子部に対して一方の側において該端子部に隣接する端子部を第１の隣接端子部、前記判定に用いられる端子部に対して他方の側において該端子部に隣接する端子部を第２の隣接端子部、前記他方の側において前記第２の隣接端子部に隣接する端子部を第３の隣接端子部とするとき、
前記凸部及び前記穴部は、前記中心軸の方向視において、前記中心軸から伸びるとともに前記第１の隣接端子部を通る半直線と前記中心軸から伸びるとともに前記第３の隣接端子部を通る半直線との間の領域に設けられていることを特徴とする請求項５又は６に記載のレンズマウント。
【請求項８】
前記凸部及び前記穴部は、前記中心軸の方向視において、前記中心軸から伸びるとともに前記判定に用いられる端子部を通る半直線と前記中心軸から伸びるとともに前記第３の隣接端子部を通る半直線との間の領域に設けられていることを特徴とする請求項７に記載のレンズマウント。
【請求項９】
前記複数の第２の端子部は、前記カメラマウントに装着されたレンズマウントの種類の判別に用いられる端子部を含むことを特徴とする請求項１乃至８のいずれか一項に記載のレンズマウント。
【請求項１０】
前記中心軸の方向視において、前記中心軸から伸びるとともに前記判別に用いられる前記端子部を通る半直線は、前記複数の第２のバヨネット爪部の間を通ることを特徴とする請求項９に記載のレンズマウント。
【請求項１１】
前記複数の第２の端子部は、前記カメラマウント及び前記レンズマウントの通信制御系をグラウンドに接続するための端子部と、前記通信制御系の動作に用いられる電力を前記カメラマウントから前記レンズマウントに供給するための端子部とを含むことを特徴とする請求項１乃至１０のいずれか一項に記載のレンズマウント。
【請求項１２】
前記複数の第２の端子部は、前記カメラマウント及び前記レンズマウントのメカニカル駆動系をグラウンドに接続するための端子部と、前記メカニカル駆動系の動作に用いられる電力を前記カメラマウントから前記レンズマウントに供給するための端子部とを含むことを特徴とする請求項１乃至１１のいずれか一項に記載のレンズマウント。
【請求項１３】
前記複数の通信用端子部は、前記カメラマウントから出力されるクロック信号を受信するための端子部と、前記カメラマウントと前記レンズマウントとの双方向データ通信を行うための端子部と、前記カメラマウントにデータを送信するための端子部とを含むことを特徴とする請求項１乃至１２のいずれか一項に記載のレンズマウント。
【請求項１４】
前記複数の通信用端子部は、前記カメラマウントにデータを送信するための前記端子部とは独立して前記カメラマウントにデータを送信するための端子部を含むことを特徴とする請求項１３に記載のレンズマウント。
【請求項１５】
前記複数の通信用端子部は、前記カメラマウントと前記レンズマウントとの双方向データ通信を行うための前記端子部とは独立して前記カメラマウントと前記レンズマウントとの双方向データ通信を行うための端子部と、前記カメラマウントからの通信要求信号を受信するための端子部とを含むことを特徴とする請求項１３又は１４に記載のレンズマウント。
【請求項１６】
請求項１乃至１５のいずれか一項に記載のレンズマウントと光学系とを備えることを特徴とするアクセサリ。
【請求項１７】
請求項１乃至１５のいずれか一項に記載のレンズマウントを備え、レンズ装置に対して着脱可能であることを特徴とするアクセサリ。
【請求項１８】
前記レンズ装置と係合可能な複数の第３のバヨネット爪部を有し、該複数の第３のバヨネット爪部の周方向における寸法の最小値は、前記複数の第２のバヨネット爪部の間の切欠き部の周方向における寸法の最小値よりも大きいことを特徴とする請求項１７に記載のアクセサリ。
【請求項１９】
前記レンズマウントは、前記カメラマウントに前記レンズマウントが装着された際に前記カメラマウントが有する規制部により規制される被規制部を有し、
前記複数の第２のバヨネット爪部は、周方向において前記被規制部に隣接する第１及び第２の爪部と、周方向において該第１及び第２の爪部に対して前記被規制部とは反対側に配置された反対側爪部とを含むことを特徴とする請求項１７又は１８に記載のアクセサリ。
【請求項２０】
前記レンズ装置と係合可能な複数の第３のバヨネット爪部を有し、
前記反対側爪部の一方の端部に隣接する切欠き部の周方向における寸法は、前記中心軸の方向視において該切欠き部と重なる前記第３のバヨネット爪部の周方向における寸法よりも小さく、
前記反対側爪部の他方の端部に隣接す切欠き部の周方向における寸法は、前記中心軸の方向視において該切欠き部と重なる前記第３のバヨネット爪部の周方向における寸法よりも小さいことを特徴とする請求項１９に記載のアクセサリ。
【請求項２１】
前記レンズ装置と係合可能な複数の第３のバヨネット爪部を有し、
前記反対側爪部の一方の端部に隣接する切欠き部の周方向における寸法は、前記複数の第３のバヨネット爪部の夫々の周方向における寸法よりも小さく、
前記反対側爪部の他方の端部に隣接する切欠き部の周方向における寸法は、前記複数の第３のバヨネット爪部の夫々の周方向における寸法よりも小さいことを特徴とする請求項１９又は２０に記載のアクセサリ。
【請求項２２】
前記レンズ装置と係合可能な複数の第３のバヨネット爪部を有し、
前記反対側爪部及び前記第１の爪部の最も離れた端部同士の周方向における間隔は、前記複数の第３のバヨネット爪部の間の切欠き部のうち、前記中心軸の方向視において前記反対側爪部及び前記第１の爪部と重なる第１及び第２の切欠き部の最も離れた端部同士の周方向における間隔よりも大きいことを特徴とする請求項１９乃至２１のいずれか一項に記載のアクセサリ。
【請求項２３】
前記レンズ装置と係合可能な複数の第３のバヨネット爪部を有し、
前記複数の第３のバヨネット爪部の間の切欠き部のうち、前記中心軸の方向視において前記反対側爪部及び前記第１の爪部と重なる第１及び第２の切欠き部の最も離れた端部同士の周方向における間隔は、前記複数の第２のバヨネット爪部のうち互いに隣接する二つの第２のバヨネット爪部の最も離れた端部同士の周方向における間隔よりも小さく、
前記複数の第３のバヨネット爪部の間の切欠き部のうち、前記中心軸の方向視において前記２の爪部と重なる第３の切欠き部及び前記第１の切欠き部の最も離れた端部同士の周方向における間隔は、前記複数の第２のバヨネット爪部のうち互いに隣接する二つの第２のバヨネット爪部の最も離れた端部同士の周方向における間隔よりも小さいことを特徴とする請求項１９乃至２２のいずれか一項に記載のアクセサリ。
【請求項２４】
前記複数の第１のバヨネット爪部と前記複数の第１の端子部とを有し、請求項１乃至２３のいずれか一項に記載のレンズマウントに対して着脱可能であることを特徴とするカメラマウント。
【請求項２５】
請求項２４に記載のカメラマウントと撮像素子とを備えることを特徴とする撮像装置。
【手続補正２】
【補正対象書類名】明細書
【補正対象項目名】発明の名称
【補正方法】変更
【補正の内容】
【発明の名称】レンズマウント及びこれを装着可能なカメラマウント、撮像装置
【手続補正３】
【補正対象書類名】明細書
【補正対象項目名】０００１
【補正方法】変更
【補正の内容】
【０００１】
本発明は、レンズマウント及びこれを装着可能なカメラマウント、撮像装置に関する。
【手続補正４】
【補正対象書類名】明細書
【補正対象項目名】０００６
【補正方法】変更
【補正の内容】
【０００６】
そこで本発明は、カメラマウントと安定して通信することが可能なレンズマウントを提供することを目的とする。
【手続補正５】
【補正対象書類名】明細書
【補正対象項目名】０００７
【補正方法】変更
【補正の内容】
【０００７】
上記目的を達成するために、本発明の一側面としてのレンズマウントは、複数の第１のバヨネット爪部と複数の第１の端子部とを有するカメラマウントに対して着脱可能なレンズマウントであって、
前記複数の第１のバヨネット爪部と係合可能な複数の第２のバヨネット爪部と、
前記カメラマウントに前記レンズマウントが装着された際に前記複数の第１の端子部と接触する複数の第２の端子部とを有し、
前記複数の第２の端子部は、前記複数の第２のバヨネット爪部とは異なる位置に設けられており、前記カメラマウントと前記レンズマウントとの間の通信に用いられる複数の通信用端子部を含み、
前記複数の通信用端子部の個数は６であり、
前記レンズマウントの中心軸の方向視において、該中心軸から伸びるとともに前記複数の通信用端子部を通る複数の半直線の全ては、前記複数の第２のバヨネット爪部のうち所定の爪部を通ることを特徴とする。
【手続補正６】
【補正対象書類名】明細書
【補正対象項目名】０００８
【補正方法】変更
【補正の内容】
【０００８】
本発明によれば、カメラマウントと安定して通信することが可能なレンズマウントを提供することができる。